(57)【要約】【課題】立て坑内への管の吊り降ろしの際に求められる前記管の姿勢の変化を容易にする管保持具を提供すること。【解決手段】地中への推進に供される管（１２）の地上から立て坑（１４）内への供給のための吊り降ろしに用いられる管の保持具（１０）であって、管の長手方向中央部に設けられその直径方向へ伸びる一対の孔（２４）に挿通可能であるロッド（１６）と、ロッドをその両端部で支持する門形のフレーム（１８）とを含む。フレームは管のロッドの周りの回転を許す大きさを有することができる。【選択図】図１
2007085059.tif 000002
【特許請求の範囲】
【請求項１】
地中への推進に供される管の地上から立て坑内への供給のための吊り降ろしに用いられる管の保持具であって、
前記管の長手方向中央部に設けられその直径方向へ伸びる一対の孔に挿通可能であるロッドと、
前記ロッドをその両端部で支持する門形のフレームとを含む、管の保持具。
【請求項２】
前記フレームは前記管の前記ロッドの周りの回転を許す大きさを有する、請求項１に記載の保持具。
【発明の詳細な説明】
【技術分野】
【０００１】
本発明は、立て坑から地中へ推進される管を立て坑内に供給するため、これを地上から立て坑内に吊り降ろすのに用いられる管の保持具に関する。
【背景技術】
【０００２】
従来、立て坑内への管の供給のための吊り降ろしは、地上に設置したチェーンブロックを用いて管を吊り下げ、これを下降操作することにより行っていた。
【０００３】
ところで、近時における立て坑の小型化、立て坑内に存在する先に推進された管の一部分の存在等に対する対応のため、供給される管の吊り降ろし時における姿勢を変化させること、すなわち管を水平、傾斜又は垂直の状態に変化させることが求められていた。
【０００４】
しかし、前記管の姿勢の変化への対応のためのチェーンブロックの操作及びそのチェーンの長さ調整に時間と労力とを要するという問題があった。
【発明の開示】
【発明が解決しようとする課題】
【０００５】
本発明の目的は、立て坑内への管の吊り降ろしの際に求められる前記管の姿勢の変化を容易にする管保持具を提供することにある。
【課題を解決するための手段】
【０００６】
本発明は、地中への推進に供される管の地上から立て坑内への供給のための吊り降ろしに用いられる管の保持具に係り、前記管の長手方向中央部に設けられその直径方向へ伸びる一対の孔に挿通可能であるロッドと、該ロッドをその両端部で支持する門形のフレームとを含む。好ましくは、前記フレームは前記管の前記ロッドの周りの回転を許す大きさを有する。
【発明の効果】
【０００７】
本発明によれば、立て坑内に供給される管の一対の孔に保持具のロッドを通しかつ該ロッドを支持するフレームをクレーン、チェーンブロック等の吊持装置で吊り上げ、これらの吊持装置を操作することにより、前記管を保持具と共に地上から立て坑内に下降させることができる。
【０００８】
前記管の下降に際し、前記管はその孔に通されたロッドの周りに回転させることができ、これにより、前記管の姿勢を水平、任意角度の傾斜及び垂直の各状態に容易に変更することができる。しかも、前記ロッドが通された管の孔は該管の長手方向中央部に位置するため、前記管の姿勢変更のための前記ロッドの周りの管の回転を最小半径でかつより小さい回転力の付与を以て行うことができる。前記管の回転操作は、これを前記フレーム内で行うことを可能とするときは、より円滑に行うことができる。
【発明を実施するための最良の形態】
【０００９】
図１及び図２を参照すると、本発明に係る保持具が全体に符号１０で示されている。
【００１０】
本発明に係る保持具１０は、地中への推進に供される管１２の地上から立て坑内１４への供給のための吊り降ろしに用いられる（図３〜図８参照）。
【００１１】
保持具１０は、ロッド１６と、該ロッドをその両端部で支持する門形のフレーム１８とを備える。管１２はロッド１６を介して保持具１０に保持される。
【００１２】
立て坑１４内への管１２の吊り降ろしのため、保持具１０はそのフレーム１８、より詳細にはフレーム１８の頂部中央に設けられた吊り輪２０を介して、地上に設置されたクレーンのような吊持装置（図示せず）により立て坑１４上及び立て坑１４内に吊り下げられる。図３に示す符号２２は、前記吊持装置による保持具１０の吊持のためにその吊り輪２０に掛けられたワイヤを示す。
【００１３】
管１２はその長手方向（軸線方向）の中央部に設けられその直径方向へ伸びる一対の孔２４を有する。図示の管１２はコンクリート製の円筒管からなり、これに設けられた両孔２４は互いに相対している。
【００１４】
ロッド１６は、管１２の両孔２４に通され、管１２を貫通している。図示の例では、ロッド１６は、管１２の内部をその直径方向へ伸びる一対の両ナットボルト２６とこれらのボルト２６の一端部に螺合されこれらを相互に連結する長ナット２８とからなる。
【００１５】
管１２とフレーム１８の両脚部３０との間には内ねじが設けられたスペーサ３２が配置され、また、一対のボルト３４が両脚部３０の下端部分をスペーサ３２に向けてそれぞれ貫通して伸びている。ロッド１６は、その両ナットボルト２６の他端部においてスペーサ３２に螺合され、脚部３０を貫通するボルト３０がスペーサ３２に螺合されている。
【００１６】
これにより、ロッド１６はその両端部においてフレーム１８に水平に支持され、管１２はロッド１６の周りに回転可能に支持される。
【００１７】
図示のロッド１６は複数の部品からなるが、これに限らず、例えば管１２の両孔２４及びフレームの両脚部３０を貫通する１つの両ナットボルト（図示せず）と、該両ナットボルトの両端部にそれぞれ螺合された一対のナット（図示せず）とからなるものとすることができる。
【００１８】
門形のフレーム１８は、図示の例では、その両脚部３０とこれらの上端で連なる真っ直ぐな接続部３６とがそれぞれ直角をなしている。しかし、前記門形の形状は、この例に限らず、例えば、接続部３６は上に凸状に湾曲したものであっても良い。
【００１９】
フレーム１８の大きさは、図示の例におけるように、その両脚部３０の長さがそれぞれ管１２の長さの半分より大きいものとすることが望ましい。これによれば、管１２をフレームの接続部３６に衝突させることなくロッド１６の周りに回転させること、すなわちフレーム１８内において回転させることができる。しかし、各脚３０の長さが管１２の長さの半分より小さいものとすることは任意である。これによれば、管１２を反対回りに回転させることにより、その回転可能角度をほぼ３６０度とすることができる。なお、フレーム１８の両脚部３０間の間隔の大きさは、フレーム１８自体の幅寸法を小さいものに設定すべく、好ましくは管１２の外径よりわずかに大きいものに設定する。
【００２０】
また、図示のフレーム１８は、その脚３０及びその接続部３６がそれぞれブレースで補強されたフレーム部材からなるが、この例に代えて、例えば丸棒からなるものとすることができる。
【００２１】
本発明に係る保持具１０を用いて行う、地上から立て坑１４内への管１２の下降方法を図３〜図８を参照して説明する。
【００２２】
図３を参照すると、前記吊持装置にワイヤ２２を介して吊り下げられた保持具１０により、立て坑１４の上方に管１２が水平状態で支持されている。この状態において、管１２の軸線と保持具のロッド１６との交点がほぼ立て坑１４の軸線上に位置することが望ましい。
【００２３】
次いで、管１２を、手動により、ロッド１６の周りに９０度回転させる（図４）。これにより、管１２の姿勢が水平状態から垂直状態に変じて細長になり、立て坑１４内への管１２の挿入をしやすくすることができる。
【００２４】
次に、この状態を維持したまま、保持具１０と共に管１２を立て坑１４内に下降させる。下降は、管１２の下端が立て坑１４の底部近傍に到達したときに停止する（図５）。
【００２５】
その後、管１２の前端３８を、立て坑１４の底部近傍に設けられた発進口４０に向けるべく、管１２を手動によりロッド１６の周りに回転させて傾斜状態にする（図６）。
【００２６】
次いで、管１２の前端３８を発進口４０に挿入すべく、前記吊持装置を操作することにより、保持具１０に保持された管１２をそのロッド１６の周りにさらに回転させつつ、発進口４０に近づけ（図７）、最後に管１２を水平にする（図８）。
【００２７】
その後、管１２を保持具１０から取り外し、立て坑１４内から保持具１０を撤去した後、立て坑１４内に予め設置された推進装置（図示せず）の作動の下、水平状態にされた管１２が発進口４０を通して地中に推進される。
【図面の簡単な説明】
【００２８】
【図１】管を垂直に保持した状態における、本発明に係る保持具の正面図である。
【図２】管を水平に保持した状態における、本発明に係る保持具の正面図である。
【図３】立て坑内への挿入前の管を立て坑の上方位置に保持する保持具の側面図である。
【図４】立て坑上において管を垂直状態に保持する保持具の側面図である。
【図５】立て坑内に管と共に挿入された状態の保持具の側面図である。
【図６】立て坑内において、回転操作される管を保持する保持具の側面図である。
【図７】立て坑内において、発進用横穴に近接されかつ回転操作される管を保持する保持具の側面図である。
【図８】立て坑内において、水平状態にされた管を保持する保持具の側面図である。
【符号の説明】
【００２９】
１０  保持具
１２  管
１４  立て坑
１６  ロッド
１８  フレーム
２４  管に設けられた孔
３０，３６  フレームの両脚部及び接続部
【図１】
2007085059.tif 000003
【図２】
2007085059.tif 000004
【図３】
2007085059.tif 000005
【図４】
2007085059.tif 000006
【図５】
2007085059.tif 000007
【図６】
2007085059.tif 000008
【図７】
2007085059.tif 000009
【図８】
2007085059.tif 000010